Podtech/llm-jp-corpus-v4-ja_patent huggingface dataset:
(57)【要約】      （修正有）【課題】生花のパネルを簡単に作るための鉢パネルを提供する。【解決手段】鉢トレイ４を固定する為の丸棒１３を鉢トレイ４上面左右の淵に固定し、その丸棒１３をＬ型アングル固定具の突起１２に合わせ固定し、任意の数だけ鉢トレイ４を設け、鉢を取り付ける際は鉢の内側の淵に水こぼれ防止板７を差込み上から鉢トレイ４内の鉢固定ジグ９に固定し、最上部枠板２の上に水やり容器５を取り付けて、給水ホース６を繋ぎ、鉢１つ１つに給水できるようにする。また、鉢トレイ４の端に排水口を開けそこに排水ホース１０を取り付け、下の段の鉢トレイ４に段々と流れるようにし、最下部にある排水受け容器１１に余分な水が溜まるようにする。【選択図】図１
2014023515.tif 000002
【特許請求の範囲】
【請求項１】
上下左右の枠板を長方形状に組み合わせ、左右枠板の内側に向かい合うようにＬ型アングルの固定具を任意の受光傾斜角度で取り付ける。またＬ型アングル固定具の左右の高さを変えて取り付ける事で鉢トレイに左右の勾配が付き給水時の余分な水を外部にこぼさず排水口より、下の鉢トレイに流れるようにする。
鉢トレイを固定する為の鉢トレイ固定用丸棒を鉢トレイ上面左右の淵に固定しその丸棒をＬ型アングル固定具の突起に合わせ固定する。また、鉢トレイ１つ１つが１スパンになっており任意の数だけ鉢トレイを設ける。
鉢を取り付ける際は鉢の内側の淵に水こぼれ防止板を差込み上から鉢トレイ内の鉢固定ジグに固定する。
最上部枠板の上に水やり容器を取り付けて、給水ホースを繋ぎ鉢１つ１つに給水できるようにする。また、鉢トレイの端に排水口を開けそこに排水ホースを取り付け、下の段の鉢トレイに段々と流れるようにし、最下部にある排水受け容器に余分な水が溜まるようになる。
以上の構成からなる、給排水多段式鉢パネルである。
【発明の詳細な説明】
【技術分野】
【０００１】  本発明は、鉢に入った植物をそのままの状態で、パネルに取り付ける緑化パネルに関するものである。
【技術背景】
【０００２】  従来の緑化パネルは、栽培用床材として使用するもの（特許文献１参照）
また、専用のパネルに植栽して使用するもの〔実用新案２参照〕ネットを使用してパネルにするもの〔実用新案３参照〕等が知られている。
【特許文献１】特開  ２００２−１９１２３３
【実用新案２】
登録  ３１５５３５２
【実用新案３】
登録  ３１５７０２５
【発明の概要】
【発明が解決しようとする課題】
【０００３】  植物をパネルにして使用するときは、事前に専用のパネルに植栽して植え替えて、専門の業者によって取り付けられていた。また手間や時間がかかり植物の種類も限られたものだった。また水やりの際も、外部に水がこぼれてしまい室内での使用も適さなかった。
本発明は、以上の問題点を解決するためになされたものである。
【課題を解決するための手段】
【０００４】  上下左右の枠板を長方形状に組み合わせ、左右枠板の内側に向かい合うようにＬ型アングルの固定具を任意の受光傾斜角度で取り付ける。またＬ型アングル固定具の左右の高さを変えて取り付ける事で鉢トレイに左右の勾配が付き給水時の余分な水を外部にこぼさず排水口より、下の鉢トレイに流れるようにする。
鉢トレイを固定する為の鉢トレイ固定用丸棒を鉢トレイ上面左右の淵に固定しその丸棒をＬ型アングル固定具の突起に合わせ固定する。また、鉢トレイ１つ１つが１スパンになっており任意の数だけ鉢トレイを設ける。
鉢を取り付ける際は鉢の内側の淵に水こぼれ防止板を差込み上から鉢トレイ内の鉢固定ジグに固定する。
最上部枠板の上に水やり容器を取り付けて、給水ホースを繋ぎ鉢１つ１つに給水できるようにする。また、鉢トレイの端に排水口を開けそこに排水ホースを取り付け、下の段の鉢トレイに段々と流れるようにし、最下部にある排水受け容器に余分な水が溜まるようになる。
以上の構成からなる、給排水多段式鉢パネルである。
【発明の効果】
【０００５】  本発明により、鉢パネルの設置に事前に固定具や止め具などの工事がなくなり、手間や時間がかからず設置でき、室内外問わず扱え軽量で持ち運びも簡単である。
また、みずやりの際も鉢１つ１つに給水ホースがつなげており、水やり容器に水を入れるだけで全ての鉢に給水することができ簡単である。また、余分な水も各鉢トレイに排水口が取り付けてあるので、外部に水がこぼれる心配もなく、排水受け容器に余分な水が溜まり、室内でも安心して取り扱うことができる。
また、そのまま鉢を入れ使用するので、植え替えなどなく手間や時間がかからず、植物も痛むことなく長生きし、取り扱いの植物の種類も豊富にあるので自由に選んで楽しむことができる。また、軽量で持ち運びが簡単なので、玄関、部屋、店舗、イベントなどの装飾として幅広く扱うことができる。
【図面の簡単な説明】
【０００６】
【図１】  本発明の斜視図
【図２】  本発明の正面図
【図３】  本発明の一部である鉢固定ジグを見やすくした斜視図
【図４】  本発明の水こぼれ防止板見やすくした斜視図
【発明を実施するための形態】
【０００７】  以下、本発明の実施の形態を説明する。
（イ）長方形状の左右の枠板（１）に上下の枠板（２）を固定し縦方向に長方形状の枠を設ける。
（ロ）Ｌ型アングル（３）を左右の枠板（１）の内側に任意の受光傾斜角度で取り付け、また左右の取り付け高さを変え左右の勾配をつける。
（ハ）鉢トレイ（４）の上面の左右の淵に鉢トレイ固定丸棒（１３）を差込み固定し、Ｌ型アングル（３）の突起（１２）に合わせて固定し取り付ける。
（ニ）鉢トレイ（４）の中に鉢固定ジグ（９）を任意の数を上から入れ固定する。
植物の入った鉢（８）に水こぼれ防止板（７）を鉢（８）の内側の淵に合わせて差込み固定し、その鉢（８）を上から鉢トレイ（４）内の鉢固定ジグ（９）に入れ固定する。
（ホ）最上部に取り付けてある、水やり容器（５）から給水ホース（６）より、各鉢１つ１つに給水する。また余分な水は外にこぼれる事なく鉢トレイの淵に取り付けてある排水ホース（１０）より下の段の鉢トレイに流れ、最下部にある排水受け容器（１１）に溜まるようになる。
本発明を使用するときは、左右の枠板（１）の内側に固定してあるＬ型アングル（３）に鉢トレイ固定丸棒（１３）を鉢トレイ（４）に固定して、Ｌ型アングル（３）の突起（１２）に合わせ固定する。鉢固定ジグ（９）に植物の入った鉢（８）に水こぼれ防止板（７）を差込み固定して上から鉢トレイ（４）内の鉢固定ジ（９）に固定する。水やりの際、水受け容器（５）に水を入れ給水ホース（６）により各鉢（８）１つ１つに給水でき、余分な水は排水ホース（１０）により最下部の排水受け容器（１１）に溜まるようになる。
【符号の説明】
【０００８】１  枠板（左）（右）、２  枠板（上）（下）、３  Ｌ型アングル、４  鉢トレイ、５  水やり容器、６  給水ホース、７  水こぼれ防止板、８  鉢、９  鉢固定ジグ１０  排水ホース、１１  排水受け容器  １２  Ｌ型アングル突起、１３  鉢トレイ固定用丸棒
【図１】
2014023515.tif 000003
【図２】
2014023515.tif 000004
【図３】
2014023515.tif 000005
【図４】
2014023515.tif 000006